(57)【要約】  【課題】比重が異なる第１の調味液と第２の調味液とを異なる容器に分けて入れなくても、容易に第１の調味液と第２の調味液とを所定の割合で注ぎ出すことができる。  【解決手段】容器１１は、有底筒状の形状を有し、第１の調味液と、第１の調味液とは比重が異なる第２の調味液とを収容する。蓋体１２は、容器１１の開口部２２に嵌め合わされたとき容器１１内に収まる、第１の調味液と第２の調味液とを取り込む内筒部３１と、内筒部３１内の第１の調味液と第２の調味液とを容器１１外に注ぎ出す注ぎ口部３２と、を有する。【選択図】図２
2018016331.tif 000002
【特許請求の範囲】
【請求項１】
第１の調味液と、前記第１の調味液とは比重が異なる第２の調味液とが収容される有底筒状の容器と、
前記第１の調味液と前記第２の調味液とを取り込む内筒部と、
前記内筒部内の前記第１の調味液と前記第２の調味液とを前記容器外に注ぎ出す注ぎ口部と、
を有することを特徴とする調味液容器。
【請求項２】
請求項１に記載の調味液容器であって、
前記内筒部には、複数の穴が設けられている
ことを特徴とする調味液容器。
【請求項３】
請求項１〜２のいずれか一項に記載の調味液容器であって、
前記内筒部には、可動する可動部が設けられている
ことを特徴とする調味液容器。
【請求項４】
請求項３に記載の調味液容器であって、
前記可動部は、前記第１の調味液および前記第２の調味液より比重が大きい
ことを特徴とする調味液容器。
【請求項５】
請求項３に記載の調味液容器であって、
前記可動部は、前記第１の調味液および前記第２の調味液より比重が小さい
ことを特徴とする調味液容器。
【請求項６】
請求項３〜５のいずれか一項に記載の調味液容器であって、
前記可動部は、前記内筒部の長手方向において可動する
ことを特徴とする調味液容器。
【請求項７】
請求項３〜５のいずれか一項に記載の調味液容器であって、
前記可動部は、前記第１の調味液および前記第２の調味液で回転する回転フィンが設けられている
ことを特徴とする調味液容器。
【請求項８】
請求項３〜７のいずれか一項に記載の調味液容器であって、
前記内筒部および前記可動部はそれぞれ筒形状を有し、前記可動部の内径は、前記内筒部の外径と同じまたはそれより大きい
ことを特徴とする調味液容器。
【請求項９】
請求項３〜６のいずれか一項に記載の調味液容器であって、
前記可動部は、前記内筒部内で可動する
ことを特徴とする調味液容器。
【請求項１０】
請求項９に記載の調味液容器であって、
前記可動部は、羽根を有している
ことを特徴とする調味液容器。
【請求項１１】
請求項１〜１０の何れか一項に記載の調味液容器であって、
前記内筒部の一端は、前記容器の底面に固定されている、
ことを特徴とする調味液容器。
【請求項１２】
請求項１１の調味液容器であって、
前記内筒部の他端と前記蓋体との間には、前記第１の調味液と前記第２の調味液とが通る隙間が設けられている、
ことを特徴とする調味液容器。
【発明の詳細な説明】
【技術分野】
【０００１】
本発明は、調味液容器に関するものである。
【背景技術】
【０００２】
特許文献１には、「容器に入った水性調味料液と油性調味料を振らずに注ぐだけで、必要割合で混合するドレッシング容器。」が開示されている。
【先行技術文献】
【特許文献】
【０００３】
【特許文献１】実用新案登録第３０１７６２１号
【発明の概要】
【発明が解決しようとする課題】
【０００４】
しかし、特許文献１では、水性調味料と油性調味料とを、ドレッシング容器の２室のそれぞれに分けて入れなければならず、手間がかかるという問題がある。
【０００５】
そこで本発明は、第１の調味液と第２の調味液とを異なる容器に分けて入れることなく、第１の調味液と第２の調味液とを所定の割合で注ぎ出すことができる調味液容器を提供することを目的とする。
【課題を解決するための手段】
【０００６】
本願は、上記課題の少なくとも一部を解決する手段を複数含んでいるが、その例を挙げるならば、以下の通りである。上記課題を解決すべく、本発明に係る調味液容器は、第１の調味液と、前記第１の調味液とは比重が異なる第２の調味液とが収容される有底筒状の容器と、前記第１の調味液と前記第２の調味液とを取り込む内筒部と、前記内筒部内の前記第１の調味液と前記第２の調味液とを前記容器外に注ぎ出す注ぎ口部と、を有することを特徴とする。
【発明の効果】
【０００７】
発明によれば、第１の調味液と第２の調味液とを異なる容器に分けて入れなくても、容易に第１の調味液と第２の調味液とを所定の割合で注ぎ出すことができる。上記した以外の課題、構成、および効果は、以下の実施形態の説明により明らかにされる。
【図面の簡単な説明】
【０００８】
【図１】第１の実施の形態に係る調味液容器の斜視図である。
【図２】図１の容器と蓋体とを分離したときの斜視図である。
【図３】図２の蓋体の断面図である。
【図４】調味液の排出を説明する図である。
【図５】調味液の排出を説明する図のその２である。
【図６】第２の実施の形態に係る調味液容器の断面図である。
【図７】調味液の排出を説明する図である。
【図８】第３の実施の形態に係る調味液容器の断面図である。
【図９】調味液の排出を説明する図である。
【図１０】第４の実施の形態に係る調味液容器の断面図である。
【図１１】第５の実施に形態に係る調味液容器の断面図である。
【図１２】第６の実施の形態に係る調味液容器の調味液の排出を説明する図である。
【図１３】図１２の可動部の別の例を説明する図である。
【図１４】第７の実施の形態に係る調味液容器の調味液の排出を説明する図である。
【図１５】第８の実施の形態に係る調味液容器の断面図である。
【発明を実施するための形態】
【０００９】
以下、本発明の実施の形態を、図面を参照して説明する。
【００１０】
［第１の実施の形態］
図１は、実施の形態に係る調味液容器の斜視図である。図１に示すように、調味液容器１は、容器１１と、蓋体１２とを有している。
【００１１】
調味液容器１の容器１１には、比重の異なる調味液が入れられる。例えば、容器１１には、水性調味液と、水性調味液より比重の軽い油性調味液とを有するドレッシングなどが入れられる。比重の異なる調味液は、例えば、撹拌すれば混ざるものの、時間が経つと層状に分離する。
【００１２】
容器１１に入れられた調味液は、蓋体１２が備える注ぎ口部（後述する）から、例えば、サラダなどの食品へ注ぎ出される。
【００１３】
図２は、図１の容器１１と蓋体１２とを分離したときの斜視図である。図２において、図１と同じものには同じ符号が付してある。
【００１４】
図２に示すように容器１１は、有底筒状の形状を有し、底部２１と、開口部２２とを有している。市販されているドレッシングなどの調味液は、開口部２２から容器１１へと入れられる。
【００１５】
また、容器１１は、開口部２２側の円周外側に、らせん状に形成された山状の嵌合部２３を有している。嵌合部２３は、後述する蓋体１２の、溝状の嵌合部と嵌め合うようになっている。
【００１６】
蓋体１２は、頂点および底面が開口した円錐形状を有している。蓋体１２は、円錐形状の頂点から底部２１方向に伸びる内筒部３１と、円錐形状の頂点側に注ぎ口部３２とを有している。蓋体１２は、容器１１の開口部２２に嵌め合わされるようになっており、容器１１の開口部２２は、蓋体１２によって蓋がされる。
【００１７】
蓋体１２の内筒部３１は、有底筒状の形状を有し、その筒状の長手方向に沿って、複数の穴３１ａが設けられている。内筒部３１は、蓋体１２が容器１１の開口部２２に嵌め合わされたとき、容器１１内に収まる（図１を参照）。容器１１に入れられた調味液は、複数の穴３１ａから内筒部３１へ入り込む。
【００１８】
内筒部３１の長さは、蓋体１２が容器１１に嵌め合わされたとき、内筒部３１の底面が、容器１１の底部２１の近傍まで届く長さである。例えば、蓋体１２が容器１１に嵌め合わされたとき、内筒部３１の底面と、容器１１の底部２１との距離は、５ｍｍ以下となるようにする。
【００１９】
内筒部３１と注ぎ口部３２は、つながっている。複数の穴３１ａから内筒部３１内に入り込んだ調味液は、調味液容器１が傾けられたとき（例えば、図５を参照）、注ぎ口部３２から、容器１１の外へと注ぎ出される。
【００２０】
図３は、図２の蓋体１２の断面図である。図３において、図２と同じものには同じ符号が付してある。
【００２１】
図３に示すように、蓋体１２の内側には、らせん状に形成された溝状の嵌合部３３が設けられている。蓋体１２の嵌合部３３を、容器１１の嵌合部２３（図２を参照）に接触させ、蓋体１２を回すことにより、蓋体１２は、容器１１と嵌合する。
【００２２】
蓋体１２の内筒部３１は、内部が中空となっている。容器１１に入れられた調味液は、複数の穴３１ａから、内筒部３１の中空へと入り込む。
【００２３】
複数の穴３１ａは、内筒部３１の底部から、蓋体１２の頂点近傍まで設けられている。複数の穴３１ａは、内筒部３１に、直線上に設けられている。
【００２４】
なお、容器１１の嵌合部２３と、蓋体１２の嵌合部３３は、図２および図３に示すような、らせん状に形成された山状および溝状の形状に限られない。容器１１の嵌合部２３と、蓋体１２の嵌合部３３は、容器１１と蓋体１２が嵌合すれば、どのような形状であってもよい。もちろん、容器１１と蓋体１２の嵌合は、回転による嵌合の形態に限られない。
【００２５】
図４は、調味液の排出を説明する図のその１である。図４において、図２と同じものには同じ符号が付してある。なお、図４では、調味液容器１の図示を簡略化している。
【００２６】
図４に示すように、容器１１には、比重の異なる調味液４１，４２が入れられる。内筒部３１内には、内筒部３１に設けられた複数の穴３１ａを介して、比重の異なる調味液４１，４２が浸入している。
【００２７】
上記したように、内筒部３１は、その底面が容器１１の底部２１の近傍まで伸びている。これにより、内筒部３１内には、容器１１に入れられている調味液４１，４２の比率とほぼ同じ比率で、調味液４１，４２が浸入している。
【００２８】
例えば、容器１１には、調味液４１，４２が「１：１」の比率で入れられているとする。この場合、内筒部３１内にも、調味液４１，４２がほぼ「１：１」の比率で浸入している。
【００２９】
図５は、調味液の排出を説明する図のその２である。図５において、図４と同じものには同じ符号が付してある。
【００３０】
図５に示すように、注ぎ口部３２を、容器１１の底部２１より下方となるよう傾けると、内筒部３１内の調味液４１，４２が、外部に注ぎ出される。すなわち、容器１１に入れられている調味液４１，４２とほぼ同じ比率の、内筒部３１内の調味液４１，４２が、外部に注ぎ出される。これにより、容器１１に入れられた比重の異なる調味液４１，４２は、所定の割合で外部に注ぎ出される。
【００３１】
以上説明したように、調味液容器１は、調味液４１と、調味液４１とは比重が異なる調味液４２とが収容される有底筒状の容器１１を備える。また、調味液容器１は、容器１１の開口部２２に嵌め合わされたとき、容器１１内に収まる、長手方向に沿って複数の穴３１ａが設けられた内筒部３１と、内筒部３１内の調味液４１，４２とを容器１１外に注ぎ出す注ぎ口部３２と、を有する蓋体１２を備える。これにより、調味液容器１は、調味液４１，４２を異なる容器に分けて入れなくても、容器１１に一緒に入れるだけで、容易に調味液４１，４２を所定の割合で注ぎ出すことができる。
【００３２】
なお、上記例では、比重の異なる調味液として２つしか示していないが、比重の異なる３以上の調味液を容器１１に入れてもよい。これによっても、調味液容器１は、比重の異なる３以上の調味液を、容易に所定の割合で注ぎ出すことができる。
【００３３】
また、内筒部３１は、蓋体１２と一体であるとしたが、これに限らない。例えば、内筒部３１は、蓋体１２の円錐形状部分の辺りで分離できるようになっていてもよい。例えば、内筒部３１は、図３の矢印Ｓ１に示す部分で、分離できるようになっていてもよい。具体的には、２つに分離される内筒部３１の一方の径は細くなっており、他方の内筒部３１（径が大きい側の内筒部３１）に挿入されるようになっていてもよい。
【００３４】
また、上記のように内筒部３１が分離される場合、蓋体１２に固定されていない側の内筒部３１は、その一端が容器１１の底部２１に固定されていてもよい。この場合、蓋体１２を容器１１に嵌合させたとき、蓋体１２に固定されている内筒部３１と、容器１１の底部２１に固定された内筒部３１とが嵌め合う。つまり、蓋体１２を容器１１に嵌合すると、内筒部３１は、合体し１つの内筒部３１となる。
【００３５】
また、容器１１と内筒部３１の断面は、円形状でなくてもよい。例えば、容器１１と内筒部３１の断面は、正方形、長方形、５角形以上の多角形、楕円形等であってもよい。
【００３６】
［第２の実施の形態］
第２の実施の形態では、内筒部に可動する可動部を設ける。
【００３７】
図６は、第２の実施の形態に係る調味液容器１の断面図である。図６において、図４と同じものには同じ符号が付してある。図６に示す調味液容器１は、図４に対し、内筒部５１の径が一部細くなっているところが異なる。また、図６に示す調味液容器１は、図４に対し、可動部５２を有しているところが異なる。
【００３８】
内筒部５１は、有底筒状の形状を有し、長手方向の両端を除いた部分が、他の部分より細くなっている。例えば、内筒部５１の範囲Ａ１に示す部分は、他の部分より細くなっている。言い換えれば、内筒部５１の底部２１側の径と、注ぎ口部３２側の径は、他の部分より太くなっている。図６に示す範囲Ａ１の大きさ（長さ）は、例えば、容器１１に調味液４１，４２を十分に入れたとき、調味液４１，４２に浸かる大きさである。
【００３９】
可動部５２は、筒状形状を有し、その筒状の長手方向に沿って、複数の穴が設けられている。可動部５２に設けられた複数の穴の間隔は、内筒部５１の穴５１ａの間隔より大きくなっている。
【００４０】
可動部５２は、中空部分が、内筒部５１の細くなった部分（範囲Ａ１）に通されている。可動部５２の内径は、内筒部５１の範囲Ａ１の外径と同じまたはそれより大きく形成され、かつ内筒部５１の両端部分の外径より小さく形成されており、可動部５２は、範囲Ａ１において、内筒部５１の長手方向に沿って可動することができる。
【００４１】
可動部５２は、容器１１に入れられる調味液４１，４２より比重が大きい。従って、可動部５２は、図６に示すように、調味液４１，４２の中に沈む。
【００４２】
図７は、調味液４１，４２の排出を説明する図である。図７において、図６と同じものには同じ符号が付してある。
【００４３】
図７に示すように、注ぎ口部３２を、容器１１の底部２１より下方となるよう傾けると、内筒部５１内の調味液４１，４２が、外部に注ぎ出される。上記したように、可動部５２の比重は、調味液４１，４２より大きいので、注ぎ口部３２が下方に傾けられると、図７に示すように、注ぎ口部３２の方向へ移動する。
【００４４】
可動部５２に設けられた複数の穴の間隔は、上記したように、内筒部５１の穴５１ａの間隔より大きい。従って、内筒部５１内の調味液４１，４２が外部に注ぎ出されると、可動部５２によって、調味液４１，４２は、内筒部５１に入りにくい。これにより、調味液４１，４２が、例えば、サラダ等の食品に必要以上に注がれるのを抑制できる。
【００４５】
以上説明したように、調味液容器１は、内筒部５１で可動する可動部５２を有する。これにより、調味液４１，４２が必要以上に外部へ注ぎ出されるのを抑制できる。
【００４６】
また、可動部５２は、調味液４１，４２より比重が大きいので、調味液４１，４２が外部に注がれるとき（調味液容器１が図７の状態になったとき）、注ぎ口部３２側へ移動する。これにより、可動部５２は、調味液４２の出方を調整することができる。
【００４７】
なお、上記では、内筒部５１の底部２１側の外径は、可動部５２の内径より大きいとしたが、可動部５２の内径と同じまたは小さくてもよい。この場合、容器１１から、蓋体１２をとると、可動部５２を内筒部５１から取り外すことができる。そして、内筒部５１に、異なる間隔の穴を有する可動部５２を装着することができる。また、内筒部５１に、異なる長さの可動部５２を装着することができる。これにより、調味液４１，４２が外部へ注ぎ出される量を、調整することができる。
【００４８】
［第３の実施の形態］
第２の実施の形態では、可動部の比重は、調味液より大きかったが、第３の実施の形態では、可動部の比重は、調味液より小さい。
【００４９】
図８は、第３の実施の形態に係る調味液容器１の断面図である。図８において、図６と同じものには同じ符号が付してある。図８に示す調味液容器１は、図６に対し、可動部６１が異なる。
【００５０】
可動部６１は、図６に示した可動部５２と異なり、調味液４１，４２に対する比重が小さい。そのため、可動部６１は、調味液４１，４２に対して浮いている。可動部６１は、図６に示した可動部５２と同様の穴を有している。
【００５１】
図９は、調味液４１，４２の排出を説明する図である。図９において、図８と同じものには同じ符号が付してある。
【００５２】
図９に示すように、注ぎ口部３２を、容器１１の底部２１より下方となるよう傾けると、内筒部３１内の調味液４１，４２が、外部に注ぎ出される。上記したように、可動部６１の比重は、調味液４１，４２より小さいので、注ぎ口部３２が下方に傾けられると、図９に示すように、底部２１の方向へ移動する。
【００５３】
可動部６１に設けられた複数の穴の間隔は、内筒部５１の穴５１ａの間隔より大きい。従って、内筒部５１内の調味液４１，４２が外部に注ぎ出されると、可動部６１によって、調味液４１，４２は、内筒部５１に入りにくい。これにより、調味液４１，４２が、例えば、サラダ等の食品に必要以上に注がれるのを抑制できる。
【００５４】
以上説明したように、調味液容器１は、内筒部５１で可動する可動部６１を有する。これにより、調味液４１，４２が必要以上に外部へ注ぎ出されるのを抑制できる。
また、可動部６１は、調味液４１，４２より比重が小さいので、調味液４１，４２が外部に注がれるとき（調味液容器１が図９の状態になったとき）、底部２１側へ移動する。これにより、可動部６１は、調味液４１の出方を調整することができる。
【００５５】
［第４の実施の形態］
第４の実施の形態では、内筒部に可動部を備え、可動部はフィンを有している。
【００５６】
図１０は、第４の実施の形態に係る調味液容器１の断面図である。図１０において、図６と同じものには同じ符号が付してある。図１０に示す調味液容器１は、図６の調味液容器１に対し、可動部７１を有している。
【００５７】
可動部７１は、筒状形状を有し、外周に回転フィン７１ａを有している。可動部７１の内径は、内筒部５１の範囲Ａ１の外径と同じまたはそれより大きく形成され、かつ内筒部５１の両端部分の外径より小さく形成されており、可動部７１は、範囲Ａ１において、内筒部５１の長手方向に沿って可動することができる。
【００５８】
可動部７１は、容器１１に入れられる調味液４１，４２より比重が大きい。従って、可動部７１は、図１０に示すように、調味液４１，４２の中に沈む。
【００５９】
注ぎ口部３２を、容器１１の底部２１より下方となるよう傾けると（例えば、図９を参照）、内筒部３１内の調味液４１，４２が、外部に注ぎ出される。上記したように、可動部７１の比重は、調味液４１，４２より大きいので、注ぎ口部３２が下方に傾けられると、注ぎ口部３２の方向へ移動する。
【００６０】
可動部７１は、調味液４１，４２で回転する回転フィン７１ａを有している。このため、可動部７１は、回転しながら、内筒部５１の底部２１側から、注ぎ口部３２の方向へ移動し、調味液４１，４２は、回転する回転フィン７１ａによって混ぜ合わされる。これにより、内筒部５１内には、内筒部５１の穴５１ａから、混ぜ合わさった調味液４１，４２が入り込み、注ぎ口部３２からは、混ぜ合わさった調味液４１，４２が注ぎ出される。
【００６１】
以上説明したように、調味液容器１は、外周に回転フィン７１ａを備えた可動部７１を有する。これにより、調味液４１，４２は、回転フィン７１ａによって混ぜ合わされ、外部へ注ぎ出される。
【００６２】
また、可動部７１は、調味液４１，４２より比重が大きいので、調味液４１，４２が外部に注がれるとき、注ぎ口部３２側へ移動する。これにより、可動部７１は、調味液４２の出方を調整することができる。
【００６３】
なお、可動部７１は、１以上の穴を有していてもよい。この穴を介して、調味液４１，４２は、内筒部５１へ入り込む。
【００６４】
［第５の実施の形態］
第４の実施の形態では、可動部の比重は、調味液より大きかったが、第５の実施の形態では、可動部の比重は、調味液より小さい。
【００６５】
図１１は、第５の実施に形態に係る調味液容器１の断面図である。図１１において、図１０と同じものには同じ符号が付してある。図１１に示す調味液容器１は、図１０に対し、可動部８１が異なる。
【００６６】
可動部８１は、図１０に示した可動部７１と異なり、調味液４１，４２に対する比重が小さい。そのため、可動部８１は、調味液４１，４２に対して浮いている。可動部８１は、図１０に示した可動部７１と同様の回転フィン８１ａを有している。
【００６７】
注ぎ口部３２を、容器１１の底部２１より下方となるよう傾けると（例えば、図９を参照）、内筒部３１内の調味液４１，４２が、外部に注ぎ出される。上記したように、可動部８１の比重は、調味液４１，４２より小さいので、注ぎ口部３２が下方に傾けられると、可動部８１は、底部２１の方向へ移動する。
【００６８】
可動部８１は、調味液４１，４２で回転する回転フィン８１ａを有している。このため、可動部８１は、回転しながら、内筒部５１の注ぎ口部３２側から、底部２１の方向へ移動し、調味液４１，４２は、回転する回転フィン８１ａによって混ぜ合わされる。これにより、内筒部５１内には、内筒部５１の穴５１ａから、混ぜ合わさった調味液４１，４２が入り込み、注ぎ口部３２からは、混ぜ合わさった調味液４１，４２が注ぎ出される。
【００６９】
以上説明したように、調味液容器１は、外周に回転フィン８１ａを備えた可動部８１を有する。これにより、調味液４１，４２は、回転フィン８１ａによって混ぜ合わされ、外部へ注ぎ出される。
【００７０】
また、可動部８１は、調味液４１，４２より比重が小さいので、調味液４１，４２が外部に注がれるとき、底部２１側へ移動する。これにより、可動部５２は、調味液４１の出方を調整することができる。
【００７１】
なお、可動部８１は、１以上の穴を有していてもよい。この穴を介して、調味液４１，４２は、内筒部５１へ入り込む。
【００７２】
［第６の実施の形態］
第６の実施の形態では、内筒部内に移動可動な可動部が入っている。
【００７３】
図１２は、第６の実施の形態に係る調味液容器１の調味液４１，４２の排出を説明する図である。図１２において、図５と同じものには同じ符号が付してある。図１２に示す調味液容器１は、図５に対し、内筒部９１の径が一部太くなっているところが異なる。また、図１２に示す調味液容器１は、図５に対し、内筒部９１内に可動部９２が入っているところが異なる。
【００７４】
内筒部９１は、有底筒状の形状を有し、底部２１側の径が他の部分より太くなっている。例えば、内筒部９１の範囲Ａ１１に示す部分は、他の部分より太くなっている。図１２に示す範囲Ａ１１の大きさ（長さ）は、例えば、容器１１に調味液４１，４２を十分に入れたとき、調味液４１，４２に浸かる大きさである。
【００７５】
可動部９２は、例えば、球形状を有し、その径は、内筒部９１の範囲Ａ１１の内径と同じまたはそれより少し小さく、かつ内筒部９１の細くなった部分より大きい。また、可動部９２は、容器１１に入れられる調味液４１，４２より比重が大きい。
【００７６】
これにより、注ぎ口部３２を、図１２に示すように、容器１１の底部２１より下方となるよう傾けると、可動部９２は、注ぎ口部３２の方へ移動する。そして、可動部９２の径は、内筒部９１の細くなった部分より大きいので、可動部９２は、注ぎ口部３２から出ることがない。なお、可動部９２は、底部２１が下方となり、注ぎ口部３２が上方となるように傾けられると、底部２１の方へ移動する。
【００７７】
以上説明したように、調味液容器１は、内筒部９１内に移動可動な可動部９２が入れられる。これにより、内筒部９１内の調味液４１，４２は、可動部９２によって混ぜ合わされる。また、調味液４１，４２が必要以上に外部へ注ぎ出されるのを抑制できる。
【００７８】
なお、上記では、内筒部９１には、１つの可動部９２しか入っていないが、２以上入ってもよい。また、２以上の可動部の大きさは、異なっていてもよいし、同じであってもよい。
【００７９】
また、可動部９２は、羽根を有していてもよい。
【００８０】
図１３は、図１２の可動部の別の例を説明する図である。図１３に示すように、可動部９２ａは、羽根を有している。これにより、可動部９２ａが内筒部９１内を移動すると、内筒部９１内の調味液４１，４２はよく混ざる。
【００８１】
［第７の実施の形態］
第６の実施の形態では、内筒部に入れられた可動部の比重は、調味液より大きかったが、第７の実施の形態では、可動部の比重は、調味液より小さい。
【００８２】
図１４は、第７の実施の形態に係る調味液容器１の調味液４１，４２の排出を説明する図である。図１４において、図１２と同じものには同じ符号が付してある。図１４に示す調味液容器１は、図１２に対し、内筒部９１内に可動部１０１ａ，１０１ｂが入っているところが異なる。
【００８３】
可動部１０１ａ，１０１ｂは、容器１１に入れられる調味液４１，４２より比重が小さい。これにより、注ぎ口部３２を、図１４に示すように、容器１１の底部２１より下方となるよう傾けると、可動部１０１ａ，１０１ｂは、底部２１の方へ移動する。
【００８４】
以上説明したように、調味液容器１は、内筒部９１内に移動可動な可動部１０１ａ，１０１ｂが入れられる。これにより、内筒部９１内の調味液４１，４２は、可動部１０１ａ，１０１ｂによって混ぜ合わされる。
【００８５】
なお、上記では、可動部１０１ａ，１０１ｂは、２つとしているが、１つでもよいし、３以上でもよい。また、２以上の可動部の大きさは、異なっていてもよいし、同じであってもよい。
【００８６】
また、可動部１０１ａ，１０１ｂは、図１３で示した可動部９２ａと同様に、羽根を有していてもよい。これにより、羽根つきの可動部が内筒部９１内を移動すると、内筒部９１内の調味液４１，４２はよく混ざる。
【００８７】
［第８の実施の形態］
第８の実施の形態では、内筒部の一端が容器の底面に固定されている。
【００８８】
図１５は、第８の実施の形態に係る調味液容器１の断面図である。図１５において、図１０と同じものには同じ符号が付してある。図１５には、図１０に対し、内筒部１１１の一端が容器１１の底部２１に固定された調味液容器１を示す。また、ここでは、内筒部１１１の他端が解放されている（蓋体１２と離れている）例を示す。なお、内筒部１１１の他端は、上記した様に蓋体１２に密着（合体）させてもよい。
【００８９】
内筒部１１１は、容器１１の底部２１から蓋体１２に向かって伸びている。矢印Ａ２１に示すように、内筒部１１１の蓋体１２側の端と、蓋体１２に設けられている注ぎ口部３２の穴との間には、小さな隙間が設けられている。
【００９０】
可動部７１は、容器１１に入れられる調味液４１，４２より比重が大きい。従って、可動部７１は、図１５に示すように、調味液４１，４２の中に沈む。
【００９１】
注ぎ口部３２を、容器１１の底部２１より下方となるよう傾けると（例えば、図９を参照）、調味液４１，４２は、図１０と同様に可動部７１の回転フィン７１ａによって混ぜ合わされる。また、図１５の矢印Ａ２１，Ａ２２に示すように、内筒部１１１と蓋体１２との隙間を通る調味液４１，４２と、内筒部１１１内から出る調味液４１，４２とが混ぜ合わされる。
【００９２】
以上説明したように、内筒部１１１の一端は、容器１１の底面に固定されており、内筒部１１１は、容器１１の底面から容器１１と嵌め合う蓋体１２に向かって伸び、内筒部１１１の他端と蓋体１２との間には、調味液４１，４２が通る隙間が設けられている。これにより、内筒部１１１の他端と蓋体１２との間の隙間を通る調味液４１，４２と、内筒部１１１内からの調味液４１，４２とが混ぜ合わされる。
【００９３】
なお、図１５に示すように、穴５１ａは、内筒部１１１の底面側（例えば、内筒部１１１の下半分）だけに設けてもよい。この場合、例えば、調味液容器１を図９に示すように傾けると、矢印Ａ２１から調味液４２が流れる。また、調味液４１は、穴５１ａから内筒部１１１に入り、矢印Ａ２２から流れる。これにより、調味液４１，４２は、混ぜ合わされる。
【００９４】
また、内筒部１１１は、穴５１ａを有していなくてもよい。この場合、調味液４１，４２は、回転フィン７１ａによって混ぜ合わされる。そして、混ぜ合わされた調味液４１，４２は、内筒部１１１の他端と蓋体１２との隙間を通って、注ぎ口部３２から外部に注ぎ出される。
【００９５】
また、可動部７１は、備えても備えなくてもよい。
【００９６】
また、内筒部１１１の他端を蓋体１２に密着させた場合、混ぜ合わせた調味液を穴５１ａから注ぎ口３２へと誘導してもよい。さらに、図１２、図１３の様に、内筒部９１内部に可動部９２，９２ａを設けてもよいものである。
【００９７】
また、回転フィン７１ａのような内筒部１１１の外部の可動部７１や、内筒部１１１の内部の可動部は、蓋体１２を外すことで、可動部も取り外することが可能となり、可動部を変更したり、簡単に洗浄したりすることができる。
【００９８】
以上、本発明について実施形態を用いて説明したが、本発明の技術的範囲は上記実施形態に記載の範囲には限定されない。上記実施形態に多様な変更または改良を加えることが可能であることが当業者には明らかである。また、そのような変更または改良を加えた形態も本発明の技術的範囲に含まれ得ることが、特許請求の範囲の記載から明らかである。また、異なる実施形態を２以上組み合わせることも可能である。
【符号の説明】
【００９９】
１…調味液容器、１１…容器、１２…蓋体、２１…底部、２２…開口部、２３…嵌合部、３１…内筒部、３１ａ…穴、３２…注ぎ口部、３３…嵌合部、４１，４２…調味液、５１…内筒部、５１ａ…穴、５２…可動部、６１…可動部、７１…可動部、７１ａ…回転フィン、８１…可動部、８１ａ…回転フィン、９１…内筒部、９２…可動部、１０１ａ，１０１ｂ…可動部、１１１…内筒部。
【図１】
2018016331.tif 000003
【図２】
2018016331.tif 000004
【図３】
2018016331.tif 000005
【図４】
2018016331.tif 000006
【図５】
2018016331.tif 000007
【図６】
2018016331.tif 000008
【図７】
2018016331.tif 000009
【図８】
2018016331.tif 000010
【図９】
2018016331.tif 000011
【図１０】
2018016331.tif 000012
【図１１】
2018016331.tif 000013
【図１２】
2018016331.tif 000014
【図１３】
2018016331.tif 000015
【図１４】
2018016331.tif 000016
【図１５】
2018016331.tif 000017
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
第１の調味液と、前記第１の調味液とは比重が異なる第２の調味液とが収容される有底筒状の容器と、
長手方向に沿って複数の穴を有し、前記第１の調味液と前記第２の調味液とを取り込む内筒部と、
前記内筒部内の前記第１の調味液と前記第２の調味液とを前記容器外に注ぎ出す注ぎ口部と、
前記内筒部の外壁に沿って可動し、前記複数の穴の少なくとも一部を塞ぐ可動部と、を有することを特徴とする調味液容器。
【請求項２】
請求項１に記載の調味液容器であって、
前記可動部は、前記第１の調味液および前記第２の調味液より比重が大きい
ことを特徴とする調味液容器。
【請求項３】
請求項１に記載の調味液容器であって、
前記可動部は、前記第１の調味液および前記第２の調味液より比重が小さい
ことを特徴とする調味液容器。
【請求項４】
第１の調味液と、前記第１の調味液とは比重が異なる第２の調味液とが収容される有底筒状の容器と、
前記第１の調味液と前記第２の調味液とを取り込む内筒部と、
前記内筒部内の前記第１の調味液と前記第２の調味液とを前記容器外に注ぎ出す注ぎ口部と、を有し、
前記内筒部には、複数の穴が設けられており、
前記内筒部には、可動する可動部が設けられており、
前記可動部は、前記第１の調味液および前記第２の調味液より比重が大きい
ことを特徴とする調味液容器。
【請求項５】
請求項１〜４のいずれか一項に記載の調味液容器であって、
前記可動部は、前記内筒部の長手方向において可動する
ことを特徴とする調味液容器。
【請求項６】
請求項１〜５のいずれか一項に記載の調味液容器であって、
前記可動部は、前記第１の調味液および前記第２の調味液で回転する回転フィンが設けられている
ことを特徴とする調味液容器。
【請求項７】
請求項１〜６のいずれか一項に記載の調味液容器であって、
前記内筒部および前記可動部はそれぞれ筒形状を有し、前記可動部の内径は、前記内筒部の外径と同じまたはそれより大きい
ことを特徴とする調味液容器。
【請求項８】
請求項７に記載の調味液容器であって、
前記可動部は、長手方向に沿って複数の穴を有し、
前記可動部の有する前記複数の穴の間隔は、前記内筒部の有する前記複数の穴の間隔より大きい
ことを特徴とする調味液容器。
【請求項９】
請求項４に記載の調味液容器であって、
前記可動部は、前記内筒部内で可動する
ことを特徴とする調味液容器。
【請求項１０】
請求項９に記載の調味液容器であって、
前記可動部は、羽根を有している
ことを特徴とする調味液容器。
【請求項１１】
請求項１〜１０の何れか一項に記載の調味液容器であって、
前記内筒部の一端は、前記容器の底面に固定されている、
ことを特徴とする調味液容器。
【請求項１２】
請求項１１の調味液容器であって、
前記内筒部の他端と蓋体との間には、前記第１の調味液と前記第２の調味液とが通る隙間が設けられている、
ことを特徴とする調味液容器。
【手続補正２】
【補正対象書類名】明細書
【補正対象項目名】０００６
【補正方法】変更
【補正の内容】
【０００６】
本願は、上記課題の少なくとも一部を解決する手段を複数含んでいるが、その例を挙げるならば、以下の通りである。上記課題を解決すべく、本発明に係る調味液容器は、第１の調味液と、前記第１の調味液とは比重が異なる第２の調味液とが収容される有底筒状の容器と、長手方向に沿って複数の穴を有し、前記第１の調味液と前記第２の調味液とを取り込む内筒部と、前記内筒部内の前記第１の調味液と前記第２の調味液とを前記容器外に注ぎ出す注ぎ口部と、前記内筒部の外壁に沿って可動し、前記複数の穴の少なくとも一部を塞ぐ可動部と、を有することを特徴とする。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
第１の調味液と、前記第１の調味液とは比重が異なる第２の調味液とが収容される有底筒状の容器と、
長手方向に沿って複数の穴を有し、前記第１の調味液と前記第２の調味液とを取り込む内筒部と、
前記内筒部内の前記第１の調味液と前記第２の調味液とを前記容器外に注ぎ出す注ぎ口部と、
前記内筒部の外壁に沿って可動し、前記複数の穴の少なくとも一つを、全部又は一部塞ぐ可動部と、を有することを特徴とする調味液容器。
【請求項２】
請求項１に記載の調味液容器であって、
前記可動部は、前記第１の調味液および前記第２の調味液より比重が大きい
ことを特徴とする調味液容器。
【請求項３】
請求項１に記載の調味液容器であって、
前記可動部は、前記第１の調味液および前記第２の調味液より比重が小さい
ことを特徴とする調味液容器。
【請求項４】
第１の調味液と、前記第１の調味液とは比重が異なる第２の調味液とが収容される有底筒状の容器と、
前記第１の調味液と前記第２の調味液とを取り込む内筒部と、
前記内筒部内の前記第１の調味液と前記第２の調味液とを前記容器外に注ぎ出す注ぎ口部と、を有し、
前記内筒部には、複数の穴が設けられており、
前記内筒部には、可動する可動部が設けられており、
前記可動部は、前記第１の調味液および前記第２の調味液より比重が大きい
ことを特徴とする調味液容器。
【請求項５】
請求項１〜４のいずれか一項に記載の調味液容器であって、
前記可動部は、前記内筒部の長手方向において可動する
ことを特徴とする調味液容器。
【請求項６】
請求項１〜５のいずれか一項に記載の調味液容器であって、
前記可動部は、前記第１の調味液および前記第２の調味液で回転する回転フィンが設けられている
ことを特徴とする調味液容器。
【請求項７】
請求項１〜６のいずれか一項に記載の調味液容器であって、
前記内筒部および前記可動部はそれぞれ筒形状を有し、前記可動部の内径は、前記内筒部の外径と同じまたはそれより大きい
ことを特徴とする調味液容器。
【請求項８】
請求項７に記載の調味液容器であって、
前記可動部は、長手方向に沿って複数の穴を有し、
前記可動部の有する前記複数の穴の間隔は、前記内筒部の有する前記複数の穴の間隔より大きい
ことを特徴とする調味液容器。
【請求項９】
請求項４に記載の調味液容器であって、
前記可動部は、前記内筒部内で可動する
ことを特徴とする調味液容器。
【請求項１０】
請求項９に記載の調味液容器であって、
前記可動部は、羽根を有している
ことを特徴とする調味液容器。
【請求項１１】
請求項１〜１０の何れか一項に記載の調味液容器であって、
前記内筒部の一端は、前記容器の底面に固定されている、
ことを特徴とする調味液容器。
【請求項１２】
請求項１１の調味液容器であって、
前記内筒部の他端と蓋体との間には、前記第１の調味液と前記第２の調味液とが通る隙間が設けられている、
ことを特徴とする調味液容器。
【手続補正２】
【補正対象書類名】明細書
【補正対象項目名】０００６
【補正方法】変更
【補正の内容】
【０００６】
本願は、上記課題の少なくとも一部を解決する手段を複数含んでいるが、その例を挙げるならば、以下の通りである。上記課題を解決すべく、本発明に係る調味液容器は、第１の調味液と、前記第１の調味液とは比重が異なる第２の調味液とが収容される有底筒状の容器と、長手方向に沿って複数の穴を有し、前記第１の調味液と前記第２の調味液とを取り込む内筒部と、前記内筒部内の前記第１の調味液と前記第２の調味液とを前記容器外に注ぎ出す注ぎ口部と、前記内筒部の外壁に沿って可動し、前記複数の穴の少なくとも一つを、全部又は一部塞ぐ可動部と、を有することを特徴とする。